(57)【要約】【課題】  カードの視認性が良く、メモ等を記録する領域が形成されるとともに、カードを保持した状態のカードホルダの厚みが全体で略一定となるカードホルダを提供する。【解決手段】  台紙５ａ、５ｂ（５）には、カード収納部１１ａ、１１ｂ（１１）と、非収納部１３ａ、１３ｂ（１３）が形成される。カード収納部１１は、カードを収納する部位である。非収納部１３は、カード収納部１１以外の部位である。台紙５ａは、台紙５ａのページ外側（ホルダ本体３との固定部とは反対側）がカード収納部１１ａであり、内側（ホルダ本体３との固定部側）が非収納部１３ａとなる。台紙５ｂは、台紙５ｂのページ内側（ホルダ本体３との固定部側）がカード収納部１１ｂであり、外側（ホルダ本体３との固定部とは反対側）が非収納部１３ｂとなる。【選択図】図２
0003162989.tif 000002
【実用新案登録請求の範囲】
【請求項１】
複数のカードを収納可能なカードホルダであって、
カードを保持する第１の台紙および第２の台紙と、
前記第１の台紙および前記第２の台紙を保持可能なホルダ本体と、
を具備し、
前記第１の台紙および前記第２の台紙には、カードを収納するカード収納部が形成され、前記カード収納部以外の部位は非収納部であり、
前記第１の台紙と前記第２の台紙とを重ねた際に、前記第１の台紙の前記カード収納部の位置は前記第２の台紙の前記非収納部の位置に対応し、前記第２の台紙の前記カード収納部の位置は前記第１の台紙の前記非収納部の位置に対応することを特徴とするカードホルダ。
【請求項２】
前記第１の台紙および前記第２の台紙は、それぞれ、台紙部材と、前記台紙部材に設けられたフィルム部材とを有し、
前記台紙部材に、少なくとも一方が開口するように前記フィルム部材が設けられることで前記カード収納部が形成され、
前記カード収納部に対応する位置の前記台紙部材は切り抜きが施され、前記カード収納部にカードを収納した状態で、前記カードの表裏面を視認可能であることを特徴とする請求項１記載のカードホルダ。
【請求項３】
前記台紙部材の表裏に設けられた前記フィルム部材は、前記台紙部材に形成された接合用切り抜き部において互いに融着して融着部が形成され、
前記カード収納部の一辺はカードを挿入可能な開口とし、前記融着部は、前記カード収納部の他の３辺に形成されるとともに、各辺における前記融着部が複数に分割されていることを特徴とする請求項２に記載のカードホルダ。
【請求項４】
前記非収容部は、任意の情報を記載可能なメモ領域であることを特徴とする請求項１から請求項３のいずれかに記載のカードホルダ。
【請求項５】
前記第１の台紙および前記第２の台紙は、略同数が前記ホルダ本体に保持されており、前記第１の台紙および前記第２の台紙が交互に配置されることを特徴とする請求項１から請求項４のいずれかに記載のカードホルダ。
【請求項６】
一方の側がチャックで開閉可能な収納袋を更に具備し、
前記ホルダ本体は、前記収納袋を保持可能であることを特徴とする請求項１から請求項５のいずれかに記載のカードホルダ。
【考案の詳細な説明】
【技術分野】
【０００１】
本考案は、複数のカードを保持可能なカードホルダに関するものである。
【背景技術】
【０００２】
トレーディングカードなどのカードが、収集家によって収集される場合がある。たとえば、野球やサッカーなどのスポーツ等においては、選手が表示されたカードが発行され、ファンがこれらのカードを収集するものである。
【０００３】
このようなスポーツ選手のカードとしては、例えば、贔屓チームの勝利した試合について、その勝利チームの選手（特にその日の試合で活躍した選手）のカードが発行され、あらかじめ登録されたファンや、後日そのカードを欲するファンに対してカードが販売・送付されるシステムが考えられる。このようなシステムにおいて、ファンは入手したカードを所定のカードホルダに保管する。
【０００４】
複数のカードを保持可能なカードホルダとしては、例えば、ルーズリーフファイルとしても使用可能なルーズリーフファイル・トレーディングカードバインダー両用ポケットフィルムがある（特許文献１）。
【先行技術文献】
【特許文献】
【０００５】
【特許文献１】実用新案登録第３０８２０４４号公報
【考案の開示】
【考案が解決しようとする課題】
【０００６】
しかし、特許文献１に記載される物品は、カードを複数保持可能なポケットが形成されるものであるが、カードの保持のみしか考慮されておらず、例えば、その日の試合の感想や、その他選手に関するメモなどをホルダに残すことが困難である。
【０００７】
一方、カードの収納数を減らし、紙製の台紙を用いることで、メモ領域を形成する方法も考えられるが、台紙が紙製では、カードを収納した状態でカードの裏面を視認することができず、このため、カードの裏面を見る場合には、カードをホルダから取り出す必要があった。
【０００８】
また、このようにメモ領域を形成すると、メモ領域とカード収納領域とで、カード収納時の厚みが異なるため、バランスが悪く、カード収納部のみが厚くなるという問題がある。
【０００９】
本考案は、このような問題に鑑みてなされたもので、カードの視認性が良く、メモ等を記録する領域が形成されるとともに、カードを保持した状態のカードホルダの厚みが全体で略一定となるカードホルダを提供することを目的とする。
【課題を解決するための手段】
【００１０】
前述した目的を達成するため、本考案は、複数のカードを収納可能なカードホルダであって、カードを保持する第１の台紙および第２の台紙と、前記第１の台紙および前記第２の台紙を保持可能なホルダ本体と、を具備し、前記第１の台紙および前記第２の台紙には、カードを収納するカード収納部が形成され、前記カード収納部以外の部位は非収納部であり、前記第１の台紙と前記第２の台紙とを重ねた際に、前記第１の台紙の前記カード収納部の位置は前記第２の台紙の前記非収納部の位置に対応し、前記第２の台紙の前記カード収納部の位置は前記第１の台紙の前記非収納部の位置に対応することを特徴とするカードホルダである。
【００１１】
前記第１の台紙および前記第２の台紙は、それぞれ、台紙部材と、前記台紙部材に設けられたフィルム部材とを有し、前記台紙部材に、少なくとも一方が開口するように前記フィルム部材が設けられることで前記カード収納部が形成され、前記カード収納部に対応する位置の前記台紙部材は切り抜きが施され、前記カード収納部にカードを収納した状態で、前記カードの表裏面を視認可能であることが望ましい。
【００１２】
前記台紙部材の表裏に設けられた前記フィルム部材は、前記台紙部材に形成された接合用切り抜き部において互いに融着して融着部が形成され、前記カード収納部の一辺はカードを挿入可能な開口とし、前記融着部は、前記カード収納部の他の３辺に形成されるとともに、各辺における前記融着部が複数に分割されることが望ましい。
【００１３】
前記非収容部は、任意の情報を記載可能なメモ領域であってもよい。前記第１の台紙および前記第２の台紙は、略同数が前記ホルダ本体に保持されており、前記第１の台紙および前記第２の台紙が交互に配置されてもよい。
【００１４】
一方の側がチャックで開閉可能な収納袋を更に具備し、前記ホルダ本体は、前記収納袋を保持可能であってもよい。
【００１５】
本考案によれば、台紙において、カードを保持するカード収納部と非収納部とが形成されるため、非収納部をカード収納以外の用途（例えばメモ領域）で使用することができる。また、第１の台紙と第２の台紙とで、カード収納部と非収納部との位置が異なるため、第１の台紙と第２の台紙を重ねた際に、それぞれの台紙に保持されたカード同士が重なることがなく、このため、カードホルダの一部のみが厚くなることがなく、全体的に略均一の厚さを保つことができる。
【００１６】
また、台紙が、台紙部材とフィルム部材とから構成され、カード収納部が形成される位置の台紙に切り抜き部が形成されれば、カードを保持した状態で、カードの表裏面を台紙の表裏側それぞれから視認することができる。
【００１７】
また、カード収納部を構成するフィルム部材が、台紙部材を挟み込むように設けられ、台紙部材に設けられた接合用切り抜き部で台紙部材の表裏から接触されて、この部位において融着されれば、確実にカード収納部を形成可能である。また、融着部がカード収納部の開口部を除く各辺において、複数に分割されていれば、融着部が剥がれたとしても、融着部の剥がれが根元まで伝播することがなく、カード収納部を保持することができる。
【００１８】
また、非収納部がメモ領域であれば、カードの収納とともに、任意の情報を台紙上に記録することも可能である。また、第１の台紙と第２の台紙が略同数保持され、交互に配置されることで、確実にホルダの厚みを全体にわたって略均一にすることができる。
【００１９】
また、収納袋をさらに設ければ、カード以外の観戦チケットの半券などを収納することもできる。
【考案の効果】
【００２０】
本考案によれば、カードの視認性が良く、メモ等を記録する領域が形成されるとともに、カードを保持した状態のカードホルダの厚みが全体で略一定となるカードホルダを提供することができる。
【図面の簡単な説明】
【００２１】
【図１】カードホルダ１を示す図で、（ａ）は組み立て斜視図、（ｂ）は分解斜視図。
【図２】カードホルダ１を開いた状態を示す図。
【図３】台紙５ａを示す図で、（ａ）は分解図、（ｂ）は表面図、（ｃ）は裏面図。
【図４】台紙５ｂを示す図で、（ａ）は分解図、（ｂ）は表面図、（ｃ）は裏面図。
【図５】袋状部材２５を示す図。
【考案を実施するための形態】
【００２２】
以下、本考案の実施の形態を詳細に説明する。図１は、本考案の実施の形態にかかるカードホルダ１を示す図であり、図１（ａ）は組み立て斜視図、図１（ｂ）は分解斜視図である。カードホルダ１は、主に、台紙５、ホルダ本体３等から構成される。
【００２３】
ホルダ本体３は、複数の台紙５を保持するものである。ホルダ本体３の背表紙近傍には孔９ａが形成されている。また、孔９ａに対応する位置の台紙５には孔９ｂが形成される。孔９ａ、９ｂを貫通するように、止め具７ａ、７ｂが設けられ、止め具７ａ、７ｂにより台紙５がホルダ本体３に保持される。
【００２４】
図２は、カードホルダ１を開いた状態を示す図である。前述の通り、ホルダ本体３には、台紙５が保持されているが、台紙５は、第１の台紙である台紙５ａと第２の台紙である台紙５ｂとが交互に保持される。
【００２５】
台紙５ａ、５ｂ（５）には、カード収納部１１ａ、１１ｂ（１１）と、非収納部１３ａ、１３ｂ（１３）が形成される。カード収納部１１は、カードを収納する部位である。非収納部１３は、カード収納部１１以外の部位である。台紙５ａは、台紙５ａのページ外側（ホルダ本体３との固定部とは反対側）がカード収納部１１ａであり、内側（ホルダ本体３との固定部側）が非収納部１３ａとなる。台紙５ｂは、台紙５ｂのページ内側（ホルダ本体３との固定部側）がカード収納部１１ｂであり、外側（ホルダ本体３との固定部とは反対側）が非収納部１３ｂとなる。
【００２６】
次に、台紙５ａについて説明する。図３は、台紙５ａを示す図であり、図３（ａ）は台紙５ａの分解図、図３（ｂ）は台紙５ａの表面図、図３（ｃ）は台紙５ａの裏面図である。図３（ａ）に示すように、台紙５ａは、台紙部材１７ａとフィルム部材１５ａ等から構成される。台紙部材１７ａは、紙製であり、孔９ｂ、切り抜き部１９、接合用切り抜き部２１が形成される。
【００２７】
孔９ｂは、前述の通り、止め具７ａ、７ｂが貫通し、ホルダ本体３に保持される部位である。台紙部材１７ａの孔９ｂ側の半分は非収納部１３ａに対応する部位であり、台紙部材１７ａの孔９ｂとは反対側の半分がカード収納部１１ａに対応する部位となる。
【００２８】
台紙部材１７ａのカード収納部１１ａに対応する部位には、カード形状応じた（収納するカードよりもわずかに小さい）矩形の切り抜き部１９が形成される。切り抜き部１９は、台紙部材１７ａの一部が切り取られて、表裏に貫通する孔部である。なお、以下の図において、台紙部材に形成された貫通部にはハッチングを施す。
【００２９】
切り抜き部１９の４辺の内、１辺（例えば台紙内側の１辺）を除く３辺の周囲には、接合用切り抜き部２１が形成される。接合用切り抜き部２１は、例えば長孔であり、各辺の周囲に辺に沿って形成される。接合用切り抜き部２１は、各辺にそれぞれ分割して複数形成される。望ましくは、接合用切り抜き部２１同士の境界部（非切り抜き部）が各辺毎に２か所以上形成されることが望ましい。
【００３０】
台紙部材１７ａの外側（孔９ｂとは反対側）から、袋状のフィルム部材１５ａが被せられる（図中矢印Ａ方向）。フィルム部材１５ａは、透明な樹脂製のフィルムである。なお、フィルム部材１５ａは、袋状でなくてもよく、少なくとも台紙部材１７ａの両面側に被せられればよい。フィルム部材１５ａの大きさは、カード収納部１１ａの大きさに対応する。したがって、フィルム部材１５ａが被せられない部位が、非収納部１３ａとなる。台紙部材１７ａの非収納部１３ａに対応する部位には、メモなどが可能なように、罫線を印字しておいてもよく、または、その他の印刷を施しておいてもよい。
【００３１】
図３（ｂ）、図３（ｃ）は、フィルム部材１５ａが台紙部材１７ａに被せられて固定された状態を示す図である。フィルム部材１５ａは、台紙部材１７ａの両面に被せられ、接合用切り抜き部２１において、両面のフィルム部材１５ａ同士が接触する。台紙部材１７ａの両面側のフィルム部材１５ａ同士は、接合用切り抜き部２１において融着され融着部２３が形成される。なお、融着部２３は、超音波融着や熱融着などが利用できる。なお、カード収納部が確実に保持可能であれば、融着に代えて接着でもよい。
【００３２】
切り抜き部１９の融着部２３が形成される３辺以外の１辺は、フィルム部材１５ａと台紙部材１７ａとの隙間が開口部となり、カードを挿入することができる。なお、切り抜き部１９によって、カード収納部１１ａにカードを収納した際に、台紙５ａの表面側（図３（ｂ））からも裏面側（図３（ｃ））からも、フィルム部材１５ａを透してカードを視認することができる。すなわち、カードをカード収納部から取り出すことなく、カードの表面側とカードの裏面側を見ることができる。
【００３３】
図４は、台紙５ｂを示す図である。なお、図４において、図３と同様の機能を奏する構成については、図３と同じ符号を付して、重複した説明を省略する。台紙５ｂは台紙５ａに対して、カード収納部と非収納部の配置が逆となる。すなわち、台紙部材１７ｂの孔９ｂ側の半分はカード収納部１１ｂに対応する部位であり、台紙部材１７ａの孔９ｂとは反対側の半分が非収納部１３ｂに対応する部位となる。
【００３４】
台紙部材１７ｂの内側（孔９ｂ側）から、袋状のフィルム部材１５ｂが被せられる（図中矢印Ｂ方向）。フィルム部材１５ｂは、透明な樹脂製のフィルムである。なお、フィルム部材１５ｂは、袋状でなくてもよく、少なくとも台紙部材１７ｂの両面側に被せられればよい。フィルム部材１５ｂの大きさは、カード収納部１１ｂの大きさと、ホルダ本体への固定部（孔９ｂ）の領域の和に対応する。したがって、フィルム部材１５ｂが被せられない部位が、非収納部１３ｂとなる。台紙部材１７ｂの非収納部１３ｂに対応する部位には、メモなどが可能なように、罫線を印字しておいてもよく、または、その他の印刷を施しておいてもよい。
【００３５】
台紙５ｂでは、フィルム部材１５ｂにも孔９ｃが形成される。孔９ｃは、孔９ｂに対応する部位に形成される。すなわち、フィルム部材１５ｂが台紙部材１７ｂに被せられた状態で、孔９ｂ、９ｃの位置が一致し、前述した止め具７ａ、７ｂが貫通してホルダ本体３に固定される。なお、台紙部材１７ｂへのフィルム部材１５ｂの固定方法は、フィルム部材１５ａと同様である。
【００３６】
なお、切り抜き部１９によって、カード収納部１１ｂにカードを収納した際に、台紙５ｂの表面側（図４（ｂ））からも裏面側（図４（ｃ））からも、フィルム部材１５ｂを透してカードを視認することができる。すなわち、カードをカード収納部から取り出すことなく、カードの表面側とカードの裏面側を見ることができる。
【００３７】
本実施形態によれば、ホルダ本体３に対して、複数の台紙５を保持することができ、台紙５の増減も容易である。また、カード収納部１１に対応する台紙部材の位置には、切り抜き部１９が形成されるため、カード収納部１１にカードを収納した状態で台紙５の表裏からカードの表裏面を視認することができる。
【００３８】
また、台紙５は、台紙５ａ、５ｂの２種類が用いられ、台紙５ａのカード収納部１１ａは、台紙５ａの外側（ホルダ本体３の保持部と反対側）に設けられ、台紙５ｂのカード収納部１１ｂは、台紙５ｂの内側（ホルダ本体部３の保持部側）に設けられる。したがって、台紙５ａ、５ｂをホルダ本体３に保持した状態で、カード収納部１１ａ、１１ｂが重なり合わず、台紙５ａのカード収納部１１ａの位置が台紙５ｂの非収納部１３ｂの位置に対応し、台紙５ｂのカード収納部１１ｂの位置が台紙５ａの非収納部１３ａの位置に対応する。
【００３９】
すなわち、台紙５ａ、５ｂがホルダ本体３に保持された状態で、それぞれのカード収納部１１にカードを収納しても、カードの収納位置が台紙によって異なるため、カードホルダ１の一部のみが厚くなることがなく、カードホルダ１（台紙）が全体的に略均一な厚みとなる。なお、このためには、台紙５ａと台紙５ｂとが交互に保持されることが望ましく、略同数の台紙５ａ、５ｂがカードホルダ１に保持されることが望ましい。
【００４０】
また、台紙５は、台紙部材とフィルム部材とから構成され、台紙部材に設けられた接合用切り抜き部２１で、表裏に被せられたフィルム部材同士が融着する。この際、融着部が、カードの収納部の開口部を除く３辺それぞれにおいて複数に分割されて設けられるため、融着部に剥がれが生じた際にも、融着部の剥がれが各辺の全体に伝播することがなく、分割部において、剥がれの進行が止まる。このため、確実にカードを保持することができる。
【００４１】
また、カード収納部に併設される非収納部がメモ領域となるため、カードにまつわる情報などを記入することができる。たとえば、スポーツの試合ごとに発行されるカードを収集して、カードホルダに収納する場合には、当日の試合の感想や観戦記録などを記載することができる。
【００４２】
また、このようなスポーツの試合のカードを収納する場合には、試合観戦の記録として、入場券の半券などを保管する場合がある。このような半券等の保管は、別途行ってもよいが、カードホルダ１において、一括して保管することもできる。
【００４３】
図５は、袋状部材２５を示す図である。袋状部材２５は、一方に開口部２９が形成された袋状の部材である。袋状部材２５には、孔９ｄが設けられ、ホルダ本体３に保持可能である。袋状部材２５には、必要に応じてチャック２７が設けられ、開口部２９から内部に保持したものが落ちないようにすることもできる。
【００４４】
このような袋状部材２５をホルダ本体１の最終ページ等に入れておくことで、半券なども一つのカードホルダ１に保管することができる。
【００４５】
なお、このようなカードホルダ１としては、例えば贔屓チーム毎に構成され、台紙や袋状部材とは別に、チーム情報（選手名鑑や試合日程表など）の印刷物を同時に保持してもよい。また、年度ごとにカードホルダを新調し、その年のシーズンにおいて、勝利試合ごとに発行される当該試合で活躍した選手のカード、このカードを当該カードホルダに保持すれば、そのチームのその年度における戦歴を保持および記録することができる。
【００４６】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００４７】
たとえば、台紙５においては、カード収納部１１と非収納部１３を台紙の内側と外側に区分したが、台紙の上下に区分してもよい。台紙５ａ、５ｂのそれぞれのカード収納部同士が重なり合わない配置であれば、どのような配置であってもよい。
【符号の説明】
【００４８】
１………カードホルダ
３………ホルダ本体
５、５ａ、５ｂ………台紙
７ａ、７ｂ………止め具
９ａ、９ｂ、９ｃ、９ｄ………孔
１１、１１ａ、１１ｂ………カード収納部
１３、１３ａ、１３ｂ………非収納部
１５ａ、１５ｂ………フィルム部材
１７ａ、１７ｂ………台紙部材
１９………切り抜き部
２１………接合用切り抜き部
２３………融着部
２５………袋状部材
２７………チャック
２９………開口部
【図１】
0003162989.tif 000003
【図２】
0003162989.tif 000004
【図３】
0003162989.tif 000005
【図４】
0003162989.tif 000006
【図５】
0003162989.tif 000007